(57)【要約】 【課題】ＬＳＩ電源部を有する画像形成装置において、ＬＳＩ電源部において生じる電源ノイズに起因する放射電磁界を低減し、しかも、従来の大がかりなシールドケースを採用する必要なくして該電源ノイズに起因する放射電磁界を低減する。【解決手段】キャンセル信号生成部２と、キャンセル信号送信部４とを有するとともに、ＬＳＩ電源部１１・・で発生する電源ノイズをＬＳＩ電源部ごとに記憶させたメモリ部３２と、電源ノイズを発しているＬＳＩ電源部について、メモリ部３２に記憶されている該電源部の電源ノイズに基づいて該ノイズを打ち消すキャンセル信号の生成を信号生成部２に指示するキャンセル信号生成指示手段３とを有しており、信号生成部２は生成する信号の周波数、振幅及び位相の調整が可能であり、指示手段３からの指示による周波数、振幅及び位相のキャンセル信号を生成する画像形成装置Ａ。【選択図】  図２
2008261976.tif 000002
【特許請求の範囲】
【請求項１】
１又は２以上のＬＳＩ電源部を有する画像形成装置であり、
該ＬＳＩ電源部から選択された１又は２以上のＬＳＩ電源部のそれぞれに対応させて設けられ、該ＬＳＩ電源部において発生する電源ノイズを打ち消すキャンセル信号を生成するためのキャンセル信号生成部と、
該キャンセル信号生成部で生成されるキャンセル信号を該ＬＳＩ電源部において発生する電源ノイズを該キャンセル信号で打ち消す領域へ送信するためのキャンセル信号送信部と、
予め求めた、前記選択された各ＬＳＩ電源部で発生する電源ノイズを該各ＬＳＩ電源部ごとに記憶させたメモリ部と、
前記選択された１又は２以上のＬＳＩ電源部のうち電源ノイズを発しているＬＳＩ電源部について、前記メモリ部に記憶されている該ＬＳＩ電源部の電源ノイズに基づいて該電源ノイズを打ち消す周波数、振幅及び位相のキャンセル信号の生成を前記キャンセル信号生成部に指示するキャンセル信号生成指示手段とを備えており、
前記キャンセル信号生成部は生成するキャンセル信号の周波数、振幅及び位相の調整が可能であり、前記キャンセル信号生成指示手段からの指示による周波数、振幅及び位相のキャンセル信号を生成して前記キャンセル信号送信部へ出力することを特徴とする画像形成装置。
【請求項２】
前記キャンセル信号生成指示手段が前記キャンセル信号生成部に対し生成を指示する前記電源ノイズを打ち消す周波数、振幅及び位相のキャンセル信号は、該キャンセル信号で打ち消すべき該電源ノイズ波と同じ周波数において逆向きの大きさを示すキャンセル信号であり、該キャンセル信号生成部は該打ち消すべき電源ノイズ波と同じ周波数において逆向きの大きさを示すキャンセル信号を生成する請求項１記載の画像形成装置。
【請求項３】
前記キャンセル信号生成部は前記キャンセル信号を発生させて前記キャンセル信号送信部へ出力するキャンセル信号発生部と、該キャンセル信号発生部で発生させる該キャンセル信号の周波数、振幅及び位相を前記キャンセル信号生成指示手段からの指示に基づいて調整設定する周波数調整回路、振幅調整回路及び位相調整回路とを含んでいる請求項１又は２記載の画像形成装置。
【請求項４】
前記メモリ部に記憶された各ＬＳＩ電源部の電源ノイズは、画像形成装置の予め定めた動作モードごとに予め求められて該動作モードごとに該メモリ部に記憶されている請求項１、２又は３記載の画像形成装置。
【請求項５】
前記メモリ部に記憶された各ＬＳＩ電源部の電源ノイズは、画像形成装置の予め定めた温度ごとに予め求められて該温度ごとに該メモリ部に記憶されている請求項１から４のいずれかに記載の画像形成装置。
【請求項６】
前記メモリ部に記憶された各ＬＳＩ電源部の電源ノイズは、画像形成装置の予め定めた使用経過時間ごとに予め求められて該使用経過時間ごとに該メモリ部に記憶されている請求項１から５のいずれかに記載の画像形成装置。
【請求項７】
前記選択されたＬＳＩ電源部で生じる電源ノイズを測定する電源ノイズ測定手段を備えているとともに前記キャンセル信号生成部に生成させる信号の周波数、振幅及び位相をそれぞれ微調整しながら前記キャンセル信号を生成させる微調整モードの選択を前記キャンセル信号生成指示手段に指示する微調整モード指示手段を備えており、
該キャンセル信号生成指示手段は、該微調整モード指示手段から微調整モード選択指示があると、前記選択された１又は２以上のＬＳＩ電源部のうち電源ノイズを発しているＬＳＩ電源部について、前記メモリ部に記憶されている該ＬＳＩ電源部の電源ノイズに基づき、該電源ノイズに応じて予め定められた第１段階の周波数、振幅及び位相の信号の生成を前記キャンセル信号生成部へ指示する一方、該指示により該キャンセル信号生成部で生成される信号のもとでのＬＳＩ電源部の電源ノイズの前記電源ノイズ測定手段による測定結果を確認することから始め、該電源ノイズ測定手段による測定結果が予め定めたノイズレベル以下になるまで前段の周波数、振幅及び位相に対し微調整された周波数、振幅及び位相の信号の生成を前記キャンセル信号生成部へ繰り返し指示することで、最終的に該ＬＳＩ電源部において発生する電源ノイズを打ち消すキャンセル信号生成を指示する請求項１から６のいずれかに記載の画像形成装置。
【発明の詳細な説明】
【技術分野】
【０００１】
本発明は、複写機、プリンタ、ファクシミリ機、これらのうち２以上を組み合わせた複合機等の画像形成装置、特に、ＬＳＩ電源部を有する画像形成装置に関する。
【背景技術】
【０００２】
ＬＳＩ電源部を有する画像形成装置においては、その電源部を有するＬＳＩ（大規模集積回路）が動作すると、該ＬＳＩ電源部における電源回路パターンから電源ノイズが発生することが知られている。この電源ノイズは周囲環境への放射電磁界の原因となることがある。
【０００３】
一方、複写機、プリンタ等の画像形成装置のような電子機器の放射電磁界の抑制については、電子回路から生じる放射電磁界の抑制に関して次のような手法が提案されている。      
【０００４】
すなわち、(1) 電子回路に搭載されたデバイスに供給されるクロック信号を拡散して放射エネルギーを分散する方法、(2) クロック信号供給配線に対して平行に放射電磁界対策配線を施して放射電磁界を低減する方法（例えば、特許第３７７６８７１号公報、特許第２７７８５７６号公報参照）、(3) 電子回路基板を収容する筐体自体をシールドしてシールドケースとする方法等である。
【０００５】
【特許文献１】特許第３７７６８７１号公報
【特許文献２】特許第２７７８５７６号公報
【発明の開示】
【発明が解決しようとする課題】
【０００６】
ところが、従来の技術では、例えばクロックを拡散して放射エネルギーを分散する方法、クロック配線に対して平行に放射電磁界対策配線を設けて放射電磁界を低減する方法においてはクロック信号に伴うノイズはキャンセルできるが、電源ノイズをキャンセルすることはできない。また、基板を収容する筐体自体をシールドしてシールドケースとする方法では大がかりなシールドケースが必要であり、それだけコストアップを招くし、シールドが不完全なことによる放射電磁界の漏れ等が懸念される。
【０００７】
そこで本発明は、ＬＳＩ電源部を有する画像形成装置であって、該ＬＳＩ電源部において生じる電源ノイズに起因する放射電磁界を低減でき、しかも、従来の大がかりなシールドケースを採用する必要なくして該電源ノイズに起因する放射電磁界を低減することができる画像形成装置を提供することを課題とする。
【課題を解決するための手段】
【０００８】
本発明者は前記課題を解決するため研究を重ね次のことに着目するに到った。
電源ノイズを発するＬＳＩ電源部について、そのＬＳＩ電源部が発する電源ノイズを打ち消すように作用するキャンセル信号を生成し該キャンセル信号による電磁波を電源ノイズに作用させれば、電源ノイズを低減し、放射電磁界を低減することができる。
【０００９】
キャンセル信号の生成にあたっては、電源ノイズを低減しようとするＬＳＩ電源部について、そのＬＳＩ電源部の電源ノイズを予め有限要素法等によるシュミレーションや実測により把握しておき、該把握した電源ノイズをＬＳＩ電源部ごとにメモリ部に記憶させておき、電源ノイズを発しているＬＳＩ電源部について、該メモリ部に記憶されている該ＬＳＩ電源部の電源ノイズに基づいて該電源ノイズを打ち消す周波数、振幅及び位相のキャンセル信号を生成し、該キャンセル信号をそれにより該電源ノイズを打ち消し得る領域へ送信すれば、ＬＳＩ電源部ごとにそれから生じる電源ノイズを低減することができる。
【００１０】
そこで本発明は、
１又は２以上のＬＳＩ電源部を有する画像形成装置であり、
該ＬＳＩ電源部から選択された１又は２以上のＬＳＩ電源部のそれぞれに対応させて設けられ、該ＬＳＩ電源部において発生する電源ノイズを打ち消すキャンセル信号を生成するためのキャンセル信号生成部と、
該キャンセル信号生成部で生成されるキャンセル信号を該ＬＳＩ電源部において発生する電源ノイズを該キャンセル信号で打ち消す領域へ送信するためのキャンセル信号送信部と、
予め求めた、前記選択された各ＬＳＩ電源部で発生する電源ノイズを該各ＬＳＩ電源部ごとに記憶させたメモリ部と、
前記選択された１又は２以上のＬＳＩ電源部のうち電源ノイズを発しているＬＳＩ電源部について、前記メモリ部に記憶されている該ＬＳＩ電源部の電源ノイズに基づいて該電源ノイズを打ち消す周波数、振幅及び位相のキャンセル信号の生成を前記キャンセル信号生成部に指示するキャンセル信号生成指示手段とを備えており、
前記キャンセル信号生成部は生成するキャンセル信号の周波数、振幅及び位相の調整が可能であり、前記キャンセル信号生成指示手段からの指示による周波数、振幅及び位相のキャンセル信号を生成して前記キャンセル信号送信部へ出力する画像形成装置を提供する。
【発明の効果】
【００１１】
本発明によると、ＬＳＩ電源部を有する画像形成装置であって、該ＬＳＩ電源部において生じる電源ノイズに起因する放射電磁界を低減でき、しかも、従来の大がかりなシールドケースを採用する必要なくして該電源ノイズに起因する放射電磁界を低減することができる画像形成装置を提供することができる。
【発明を実施するための最良の形態】
【００１２】
本発明の実施形態の画像形成装置は、基本的に、次のものである。すなわち、
１又は２以上のＬＳＩ電源部を有する画像形成装置であり、
該ＬＳＩ電源部から選択された１又は２以上のＬＳＩ電源部のそれぞれに対応させて設けられ、該ＬＳＩ電源部において発生する電源ノイズを打ち消すキャンセル信号を生成するためのキャンセル信号生成部と、
該キャンセル信号生成部で生成されるキャンセル信号を該ＬＳＩ電源部において発生する電源ノイズを該キャンセル信号で打ち消す領域へ送信するためのキャンセル信号送信部と、
予め求めた、前記選択された各ＬＳＩ電源部で発生する電源ノイズを該各ＬＳＩ電源部ごとに記憶させたメモリ部と、
前記選択された１又は２以上のＬＳＩ電源部のうち電源ノイズを発しているＬＳＩ電源部について、前記メモリ部に記憶されている該ＬＳＩ電源部の電源ノイズに基づいて該電源ノイズを打ち消す周波数、振幅及び位相のキャンセル信号の生成を前記キャンセル信号生成部に指示するキャンセル信号生成指示手段とを備えている。
【００１３】
前記キャンセル信号生成部は生成するキャンセル信号の周波数、振幅及び位相の調整が可能であり、前記キャンセル信号生成指示手段からの指示による周波数、振幅及び位相のキャンセル信号を生成して前記キャンセル信号送信部へ出力する。
【００１４】
ここで、前記の「該ＬＳＩ電源部から選択された１又は２以上のＬＳＩ電源部のそれぞれに対応させて設けられ、該ＬＳＩ電源部において発生する電源ノイズを打ち消すキャンセル信号を生成するためのキャンセル信号生成部」、「該キャンセル信号生成部で生成されるキャンセル信号を該ＬＳＩ電源部において発生する電源ノイズを該キャンセル信号で打ち消す領域へ送信するためのキャンセル信号送信部」及び「前記選択された１又は２以上のＬＳＩ電源部のうち電源ノイズを発しているＬＳＩ電源部について、前記メモリ部に記憶されている該ＬＳＩ電源部の電源ノイズに基づいて該電源ノイズを打ち消す周波数、振幅及び位相のキャンセル信号の生成を前記キャンセル信号生成部に指示するキャンセル信号生成指示手段」のそれぞれにおいて「電源ノイズを打ち消す」には、「電源ノイズを完全に打ち消す」場合のほか、「電源ノイズを実用上無視してもよい程度まで打ち消す」場合も含まれる。
【００１５】
この画像形成装置によると、電源ノイズを発しているＬＳＩ電源部について、キャンセル信号生成指示手段からキャンセル信号生成部へ該電源ノイズを打ち消すためのキャンセル信号生成が指示される。キャンセル信号生成部は該指示に基づいてキャンセル信号を生成し、キャンセル信号送信部へ出力する。キャンセル信号送信部は、該電源ノイズを打ち消すように該キャンセル信号による電磁波を放射する。かくして該電源ノイズが低減され、該電源ノイズによる放射電磁界が抑制される。
【００１６】
キャンセル信号生成指示手段はキャンセル信号生成を指示するにあたり、前記メモリ部に記憶されている、電源ノイズを発しているＬＳＩ電源部の電源ノイズに基づいて該電源ノイズを打ち消す周波数、振幅及び位相のキャンセル信号の生成を前記キャンセル信号生成部に指示し、キャンセル信号生成部は、キャンセル信号の周波数、振幅及び位相の調整が可能であり、該キャンセル信号生成指示手段からの指示による周波数、振幅及び位相のキャンセル信号を生成してキャンセル信号送信部へ出力する。
【００１７】
従って、電源ノイズを発しているＬＳＩ電源部の電源ノイズをＬＳＩ電源部ごとにその電源ノイズに応じて適切に低減することができる。
また、電源ノイズの低減にあたり、従来の大がかりなシールドケースは必要でなく、それだけ簡単、安価に電源ノイズを低減できる。
【００１８】
前記キャンセル信号は、電源ノイズを打ち消すことができるものであればよいが、代表例として、電源ノイズ波と同じ周波数において逆向きの大きさを示すキャンセル信号を挙げることができる。
【００１９】
この場合、前記キャンセル信号生成指示手段が前記キャンセル信号生成部に対し生成を指示する前記電源ノイズを打ち消す周波数、振幅及び位相のキャンセル信号は、該キャンセル信号で打ち消すべき該電源ノイズ波と同じ周波数において逆向きの大きさを示すキャンセル信号であり、該キャンセル信号生成部は該打ち消すべき電源ノイズ波と同じ周波数において逆向きの大きさを示すキャンセル信号を生成する。
【００２０】
いずれにしても、前記キャンセル信号生成部は前記キャンセル信号を発生させて前記キャンセル信号送信部へ出力するキャンセル信号発生部と、該キャンセル信号発生部で発生させる該キャンセル信号の周波数、振幅及び位相を前記キャンセル信号生成指示手段からの指示に基づいて調整設定する周波数調整回路、振幅調整回路及び位相調整回路とを含んでいるものとすることができる。
【００２１】
ＬＳＩ電源部が発する電源ノイズは、同じＬＳＩ電源部であっても、画像形成装置の動作モード（待機モードであるか、画像形成モードであるか、また、画像形成モードにおいてはモノクロ画像形成モードか、カラー画像形成モードか等の動作モード）に応じて変化する。
【００２２】
また、ＬＳＩ電源部が発する電源ノイズは、同じＬＳＩ電源部であっても、画像形成装置の温度や画像形成装置の使用経過時間等によっても変化する。
【００２３】
そこで、前記メモリ部に記憶された各ＬＳＩ電源部の電源ノイズは、画像形成装置の予め定めた動作モードごとに予め求められて該動作モードごとに該メモリ部に記憶されたものでもよい。
【００２４】
また、前記メモリ部に記憶された各ＬＳＩ電源部の電源ノイズは、画像形成装置の予め定めた温度ごとに予め求められて該温度ごとに該メモリ部に記憶されたものでもよい。
【００２５】
また、前記メモリ部に記憶された各ＬＳＩ電源部の電源ノイズは、画像形成装置の予め定めた使用経過時間ごとに予め求められて該使用経過時間ごとに該メモリ部に記憶されたものでもよい。
【００２６】
さらに、前記メモリ部に記憶された各ＬＳＩ電源部の電源ノイズは、画像形成装置の動作モード、画像形成装置の温度、画像形成装置の使用経過時間等のうち２以上を考慮したものでもよい。
【００２７】
いずれにしても、各動作モードにおける各ＬＳＩ電源部の電源ノイズ、又は各温度における各ＬＳＩ電源部の電源ノイズ、又は各使用経過時間における各ＬＳＩ電源部の電源ノイズ、又はこれらのうち２以上の組み合わせを考慮したときの各ＬＳＩ電源部の電源ノイズ（例えば動作モードがＸ、温度がＹであるときの各ＬＳＩ電源部の電源ノイズ、或いは動作モードがＸ、温度がＹ、使用経過時間がＺであるときの各ＬＳＩ電源部の電源ノイズ）等の電源ノイズはシュミレーションや実測により予めそれぞれ把握しておき、前記メモリ部に記憶させておけばよい。
【００２８】
ところで、ＬＳＩ電源部が発する電源ノイズは、同じＬＳＩ電源部であっても、また、動作モード等の条件が同じであっても、バラつく場合がある。そのようなバラツキがある場合、そのバラツキも含めて予めシュミレーションや実測により電源ノイズを把握してメモリ部に記憶させる場合が生じる。
【００２９】
その場合に備え、前記選択されたＬＳＩ電源部で生じる電源ノイズを測定する電源ノイズ測定手段を設けるとともに前記キャンセル信号生成部に生成させる信号の周波数、振幅及び位相をそれぞれ微調整しながら前記キャンセル信号を生成させる微調整モードの選択を前記キャンセル信号生成指示手段に指示する微調整モード指示手段を設け、
該キャンセル信号生成指示手段は、該微調整モード指示手段から微調整モード選択指示があると、前記選択された１又は２以上のＬＳＩ電源部のうち電源ノイズを発しているＬＳＩ電源部について、前記メモリ部に記憶されている該ＬＳＩ電源部の電源ノイズに基づき、該電源ノイズに応じて予め定められた第１段階の周波数、振幅及び位相の信号の生成を前記キャンセル信号生成部へ指示する一方、該指示により該キャンセル信号生成部で生成される信号のもとでのＬＳＩ電源部の電源ノイズの前記電源ノイズ測定手段による測定結果を確認することから始め、該電源ノイズ測定手段による測定結果が予め定めたノイズレベル以下になるまで前段の周波数、振幅及び位相に対し微調整された周波数、振幅及び位相の信号の生成を前記キャンセル信号生成部へ繰り返し指示することで、最終的に該ＬＳＩ電源部において発生する電源ノイズを打ち消すキャンセル信号生成を指示するようにしてもよい。
【００３０】
このような微調整方式を採用することで、バラツキも含めた電源ノイズがメモリ部に記憶されている場合でも、電源ノイズを打ち消すためのより適切なキャンセル信号を生成し、該キャンセル信号により電源ノイズを打ち消すことができる。
【００３１】
なお、バラツキも含めた電源ノイズがメモリ部に記憶されている場合でも、例えば、シュミレーションや実測等で把握されたその電源ノイズのバラツキを無視できるようなときには、前記キャンセル信号生成指示手段は、該メモリ部に記憶された電源ノイズに基づいて、その電源ノイズを打ち消す周波数、振幅及び位相のキャンセル信号の生成を、前記微調整方式を採用することなく、指示してもよい。
【００３２】
以下、本発明に係る画像形成装置の例を図面を参照して説明する。
図１は本発明に係る画像形成装置例の正面図である。
図１に示す画像形成装置Ａは、画像読取装置Ｓを備えた複写機であるが、ファクシミリ機の機能及びコンピュータ等から供給される画像情報に応じてプリントするプリンタ機能も併せ持つ。
【００３３】
図１の画像形成装置Ａは、画像形成部Ｂ及びその下の記録媒体収容カセットＣ１〜Ｃ４を有する部分ＣＳを含んでいる。画像読取装置Ｓは画像形成部Ｂの上方に位置している。画像読取装置Ｓには原稿自動搬送装置ＡＤＦ及び操作パネルＰＡが搭載されている。
【００３４】
搬送装置ＡＤＦは開閉可能で、画像読取装置Ｓのガラス板ｇ１上に配置される原稿を覆うカバーを兼ねている。
操作パネルＰＡには、複写画像形成やファクシミリ送信等の指示を行うスタートキー、画像形成枚数等を設定するテンキー等のキー群Ｋｅ等のほか、液晶表示部Ｄｐ及びキャンセル信号の微調整モードを指示するキーｋ１も搭載されている。液晶表示部Ｄｐは、ユーザによるキー操作を反映表示したり、ユーザへの指示メニューを表示したり、画像形成部Ｂ等からの情報を表示する等に用いられる。微調整モード指示キーｋ１については後述する。
【００３５】
画像読取装置Ｓは原稿台ガラスｇ１上に静止配置される原稿の画像を光学的に読み取ることができるほか、原稿自動搬送装置ＡＤＦにてその原稿載置トレイａ１から搬送され、原稿排出トレイａ２へ排出され、その途中で画像読取装置Ｓの原稿流し撮り用ガラス板ｇ２に沿って移動する原稿の画像を光学的に読み取ることもできる。
【００３６】
画像読取装置Ｓで読み取られた画像のデータは画像形成部Ｂへ送られ、そこでの画像形成に供されるか、或いはフアクシミリ送信に供される。図示省略のコンピュータ等から送信されてくる画像データは画像形成部Ｂへ送られ、そこでの画像形成に供される。
【００３７】
画像形成部Ｂは電子写真方式により記録媒体上にトナー画像を形成するものである。本例の画像形成部Ｂは、イエロー画像形成ユニットＹ、マゼンタ画像形成ユニットＭ、シアン画像形成ユニットＣ及びブラック画像形成ユニットＫを中間転写ベルトｂに沿って配列し、各画像形成ユニットにより形成されるトナー像を中間転写ベルトｂに１次転写し、ベルトｂ上に重ねて１次転写された多重トナー像をいずれかのカセットから供給される記録媒体（記録紙等）Ｐに２次転写し、定着装置Ｆで定着させてカラー画像を得ることができるタンデム型カラー画像形成部である。
【００３８】
画像形成部Ｂはモノクロ画像を形成することもできるし、いずれか二つ又は三つの画像形成ユニットを用いて画像形成することもできる。
画像形成部Ｂは他のタイプのカラー画像形成部でもよいし、モノクロ画像形成部でもよい。
【００３９】
定着装置Ｆは、定着ヒータとしてハロゲンランプヒータＨを内蔵した定着ローラｆ１と、これに対向する加圧ローラｆ２とを有し、定着ローラｆ１はハロゲンランプヒータＨの点灯によりトナー像定着温度へ向け加熱される。定着ローラｆ１の温度は温度検出器（本例ではサーミスタ）ｓｍで検出される。
【００４０】
画像形成部Ｂでトナー像が２次転写された記録媒体Ｐは定着ローラｆ１と加圧ローラｆ２の間に通されることでトナー像が加熱加圧下に定着され、その後排出ローラＲで排出トレイＴ上に排出される。
【００４１】
図２は図１の画像形成装置の制御回路の概略を示すブロック図である。
図２の制御回路は画像形成装置全体を制御する制御部３を含んでいる。
【００４２】
制御部３は、ＣＰＵ（中央演算処理装置）３１、プログラム等を記憶させたＲＯＭ及びＣＰＵとデータのやりとりを行うＲＡＭを含むメモリ部３２等を含んでいる。
画像形成装置Ａの各部は制御部３の指示のもとに所定のタイミングで画像形成を行う等の動作をする。
【００４３】
前記の操作パネルＰＡは制御部３に接続されており、後述する電源ノイズ測定器Ｎ及び温度検出器ＴＳ等も制御部３に接続されている。
また、図２の制御回路は、複数のＬＳＩ電源部１１、１２、１３・・・を含んでいるとともに各ＬＳＩ電源部に対応するキャンセル信号生成部２（２１、２２、２３・・・）を含んでおり、キャンセル信号生成部２（２１、２２、２３・・・）にはキャンセル信号送信部４（４１、４２、４３・・・）がそれぞれ接続されている。
【００４４】
ＬＳＩ電源部１１、１２、１３・・・のそれぞれは、ＬＳＩに設けられた、ＬＳＩを駆動するために必要な電力を供給するためのものである。
ＬＳＩは画像形成装置の各種制御等に用いられる。
【００４５】
本例ではキャンセル信号生成部２を設けたＬＳＩ電源部１１、１２、１３・・・は電源ノイズを発するものである。図２には示していないが、電源ノイズを発生しない、或いは発生しても無視できる程度であるため電源ノイズを発生しないと見做して差し支えないＬＳＩ電源部についてはそのようなキャンセル信号生成部を設けない。
【００４６】
キャンセル信号生成部２（２１、２２、２３・・・）のそれぞれは、図３に示すように、キャンセル信号発生部２０を含んでいるとともに、信号発生部２０で発生させる信号の振幅、位相及び周波数をそれぞれ制御部３からの指示に基づいて調整設定するための振幅調整回路２０１、位相調整回路２０２及び周波数調整回路２０３を含んでいる。
【００４７】
さらに説明すると、制御部３のメモリ部には、予めシュミレーション或いは実測により把握した、ＬＳＩ電源部１１、１２、１３・・・のそれぞれが発生する電源ノイズをＬＳＩ電源部ごとに記憶させてある。
【００４８】
図２では制御部３から各ＬＳＩ電源部へ至るオン指示信号線の記載を省略しているが、制御部３は、所定のタイミングでＬＳＩ電源部１１、１２、１３・・・のうち１又は２以上をオンさせる。そして、電源ノイズを発しているＬＳＩ電源部を把握し、電源ノイズを発するＬＳＩ電源部のそれぞれについて、そのＬＳＩ電源部に対応するキャンセル信号生成部２へ電源ノイズを打ち消すキャンセル信号の生成を指示する。制御部３の該キャンセル信号生成を指示する部分はキャンセル信号生成指示手段として機能する部分である。
【００４９】
電源ノイズを発しているＬＳＩ電源部の制御部３における把握は、制御部自身がオンさせたＬＳＩ電源部のうち電源ノイズがメモリ部３２に記憶されているＬＳＩ電源部を特定することで行われる。
【００５０】
制御部３は、キャンセル信号生成指示に際しては、電源ノイズを発しているＬＳＩ電源部についてメモリ部３２に記憶させてある電源ノイズに基づき該電源ノイズを打ち消す周波数、振幅及び位相のキャンセル信号の生成を、該電源ノイズを発しているＬＳＩ電源部に対応するキャンセル信号生成部２に指示する。
【００５１】
キャンセル信号生成の指示を受けたキャンセル信号生成部２は、該指示に基づいて、キャンセル信号発生部２０で発生させるべきキャンセル信号の振幅、位相及び周波数を振幅調整回路２０１、位相調整回路２０２及び周波数調整回路２０３でそれぞれ調整設定する。キャンセル信号発生部２０は、その調整設定された振幅、位相及び周波数のキャンセル信号を発生させ、キャンセル信号送信部４へ出力する。
【００５２】
制御部３からキャンセル信号生成部へ生成を指示する、電源ノイズを打ち消す振幅、位相及び周波数のキャンセル信号は、本例では、電源ノイズ波と同じ周波数において大きさが同じで逆向きの大きさを示すキャンセル信号である。
【００５３】
例えば、打ち消すべき電源ノイズ波が図５（Ａ）に示すものであったとすると、キャンセル信号は、図５（Ｂ）に示すように、電源ノイズ波と同じ周波数（例えばｆｃ）において大きさが同じで逆向きの大きさを示すキャンセル信号である。
【００５４】
キャンセル信号生成部２のキャンセル信号発生部２０からキャンセル信号送信部４に出力されたキャンセル信号は、例えば図４に示すように、ＬＳＩ電源部の電源ノイズを該キャンセル信号で打ち消し得る領域に配置された送信部先端のキャンセル信号送信配線パターン４０から放射され電源ノイズを低減させる。
【００５５】
さらに説明すると、図４は、４層構造のＬＳＩにおいてＬＳＩ電源パターン１００がＬＳＩ電源パターンビア１０１を介して１層目から４層目へ層変更している場合を概略的に示しており、キャンセル信号送信配線パターン４０は２層目又は３層目においてパターンビア１０１を囲んでいる。これにより配線パターン４０のループ内にあるパターンビア１０１にキャセル信号による電磁波を放射して電源ノイズを低減することができる。
【００５６】
図６は制御部３の以上説明した動作を示すフローチャートである。このフローチャートに示すように、制御部３は、ＬＳＩ電源部をオンさせたあと（ステップＳ１１）、電源ノイズが発生するＬＳＩ電源部を把握し（ステップＳ１２）、ノイズ発生ＬＳＩ電源部の放射ノイズをメモリ部３２から把握し（ステップＳ１３）、キャンセル信号の振幅を決定し信号生成部２へ振幅調整を指示し、キャンセル信号の位相を決定し信号生成部２へ位相調整を指示し、キャンセル信号の周波数を決定し信号生成部２へ周波数調整を指示する（ステップＳ１４〜Ｓ１６）。かくしてキャンセル信号生成部２では、指示された振幅、位相及び周波数のキャンセル信号を生成して送信部４へ出力する。
【００５７】
ところで、ＬＳＩ電源部が発する電源ノイズは、既述のとおり、同じＬＳＩ電源部であっても、画像形成装置の動作モード（待機モードであるか、画像形成モードであるか、また、画像形成モードにおいてはモノクロ画像形成モードか、カラー画像形成モードか、或いはさらに、モノクロ画像形成モードやカラー画像形成モードそれぞれにおける種々の動作モード等の動作モード）に応じて変化し、また、画像形成装置の温度や画像形成装置の使用経過時間等によっても変化する。
【００５８】
そこで、電源ノイズを発する各ＬＳＩ電源部の電源ノイズは、画像形成装置Ａの予め定めた動作モードごとに予め求めて該動作モードごとにメモリ部３２に記憶させておいてもよく、画像形成装置の予め定めた温度ごとに予め求めて該温度ごとにメモリ部３２に記憶させておいてもよく、また、画像形成装置の予め定めた使用経過時間ごとに予め求めて該使用経過時間ごとにメモリ部３２に記憶させておいてもよい。
【００５９】
また、電源ノイズを発する各ＬＳＩ電源部の電源ノイズは、画像形成装置の動作モード、画像形成装置の温度、画像形成装置の使用経過時間等のうち２以上を考慮して、予め定めた動作モード等の条件において予め求めて該条件ごとにメモリ部３２に記憶させておいてもよい。
【００６０】
動作モードを考慮した電源ノイズをメモリ部３２に記憶させる場合の制御部３のキャンセル信号生成指示動作を図７に示す。この動作は図６の動作中のステップＳ１２に相当するステップＳ２２の次に画像形成装置Ａの現在の動作モードを制御部３自身において把握する動作モード把握ステップＳ２３を挿入し、図６の動作におけるステップＳ１３に相当するステップとして、把握した動作モードでのＬＳＩ電源部の放射ノイズ（電源ノイズ）をメモリ部３２から把握するステップＳ２４を採用して電源ノイズをキャンセルする信号の生成をキャンセル信号生成部２へ指示するものである。図７におけるステップＳ２１、Ｓ２５〜Ｓ２７は、図６におけるステップＳ１１、Ｓ１４〜Ｓ１６に相当するものである。
【００６１】
画像形成装置Ａの温度を考慮した電源ノイズをメモリ部３２に記憶させる場合の制御部３のキャンセル信号生成指示動作を図８に示す。この動作は図６の動作中のステップＳ１２に相当するステップＳ３２の次に画像形成装置Ａの現在の温度を温度検出器ＴＳで検出するステップＳ３３を挿入し、図６の動作におけるステップＳ１３に相当するステップとして、把握した温度でのＬＳＩ電源部の放射ノイズ（電源ノイズ）をメモリ部３２から把握するステップＳ３４を採用して電源ノイズをキャンセルする信号の生成をキャンセル信号生成部２へ指示するものである。図８におけるステップＳ３１、Ｓ３５〜Ｓ３７は、図６におけるステップＳ１１、Ｓ１４〜Ｓ１６に相当するものである。
【００６２】
画像形成装置Ａの使用経過時間を考慮した電源ノイズをメモリ部３２に記憶させる場合の制御部３のキャンセル信号生成指示動作を図９に示す。この動作は図６の動作中のステップＳ１２に相当するステップＳ４２の次に画像形成装置Ａの現在の使用経過時間を制御部３に内蔵されているカウンタで把握するステップＳ４３を挿入し、図６の動作におけるステップＳ１３に相当するステップとして、把握した使用経過時間でのＬＳＩ電源部の放射ノイズ（電源ノイズ）をメモリ部３２から把握するステップＳ４４を採用して電源ノイズをキャンセルする信号の生成をキャンセル信号生成部２へ指示するものである。図９におけるステップＳ４１、Ｓ４５〜Ｓ４７は、図６におけるステップＳ１１、Ｓ１４〜Ｓ１６に相当するものである。
【００６３】
画像形成装置Ａの動作モード、温度、使用経過時間を考慮した電源ノイズをメモリ部３２に記憶させる場合の制御部３のキャンセル信号生成指示動作を図１０に示す。この動作は図６の動作中のステップＳ１２に相当するステップＳ５２の次に、画像形成装置Ａの現在の動作モードを把握し、装置温度を検出し、装置使用経過時間を把握するステップＳ５３〜Ｓ５５を挿入し、図６の動作におけるステップＳ１３に相当するステップとして、把握した動作モード、温度及び使用経過時間でのＬＳＩ電源部の放射ノイズ（電源ノイズ）をメモリ部３２から把握するステップＳ５６を採用して電源ノイズをキャンセルする信号の生成をキャンセル信号生成部２へ指示するものである。図１０におけるステップＳ５１、Ｓ５７〜Ｓ５９は、図６におけるステップＳ１１、Ｓ１４〜Ｓ１６に相当するものである。
【００６４】
図１１は図６に示すフローチャートの変形例であり、電源ノイズにバラツキがある場合においてそのバラツキも含めて予め電源ノイズを求め、該電源ノイズをメモリ部３２に記憶させた場合の制御部３のキャンセル信号生成指示動作の例を示している。
【００６５】
すなわち、制御部３はＬＳＩ電源部をオンさせたあと（ステップＳ１１）、電源ノイズが発生するＬＳＩ電源部を把握し（ステップＳ１２）、操作パネルＰＡの微調整モード指示キーｋ１による微調整モード選択指示の有無を判断し（ステップＳ１２１）、その指示がないときは、ノイズ発生ＬＳＩ電源部の放射ノイズをメモリ部３２から把握し（ステップＳ１３）、キャンセル信号の振幅を決定し信号生成部２へ振幅調整を指示し、キャンセル信号の位相を決定し信号生成部２へ位相調整を指示し、キャンセル信号の周波数を決定し信号生成部２へ周波数調整を指示する（ステップＳ１４〜Ｓ１６）。かくしてキャンセル信号生成部２では、指示された振幅、位相及び周波数のキャンセル信号を生成して送信部４へ出力する。
【００６６】
ステップＳ１２１において微調整モード選択指示があると、ノイズ発生ＬＳＩ電源部の放射ノイズをメモリ部３２から把握し（ステップＳ１２２）、該メモリ部に記憶された電源ノイズについて予め定められた第１段階の振幅、位相及び周波数に基づいて、キャンセル信号の振幅を決定し信号生成部２へ振幅調整を指示し、キャンセル信号の位相を決定し信号生成部２へ位相調整を指示し、キャンセル信号の周波数を決定し信号生成部２へ周波数調整を指示する（ステップＳ１２３〜Ｓ１２５）。
【００６７】
その後、電源ノイズ測定器Ｎ（例えばスペクトラムアナライザ）で測定される電源ノイズ（放射ノイズ）測定結果が許容できる規定のノイズレベル以下か否かを判断し（ステップＳ１２６）、規定レベル以下でないときは、ステップＳ１２３に戻り、前段回の振幅、位相及び周波数に対し微調整された振幅、位相及び周波数のキャンセル信号生成を指示し（ステップ１２３〜１２５）、このようにして、ステップＳ１２６で電源ノイズ測定器Ｎで測定される電源ノイズ（放射ノイズ）測定結果が許容できる規定のノイズレベル以下になるまでステップＳ１２３〜Ｓ１２５を繰り返すことで、最終的に電源ノイズを打ち消すキャンセル信号の生成をキャンセル信号生成部２へ指示する。
【００６８】
図１１の制御は図６の制御において微調整方式（図１１のステップＳ１２１、Ｓ１２２〜Ｓ１２６）を採用したものであるが、図７〜図１０の各制御においても同様の微調整方式を採用できる。例えば、図７の制御においてステップ２３のあとに微調整方式を採用する例、図８の制御においてステップ３３のあとに微調整方式を採用する例、図９の制御においてステップ４３のあとに微調整方式を採用する例、図１０の制御においてステップＳ５５のあとに微調整方式を採用する例を挙げることができる。
【００６９】
このような微調整方式を採用することで、バラツキも含めた電源ノイズがメモリ部３２に記憶されている場合でも、電源ノイズを打ち消すためのより適切なキャンセル信号を生成し、該キャンセル信号により電源ノイズを低減することができる。
【産業上の利用可能性】
【００７０】
本発明は、ＬＳＩ電源部で発生する電源ノイズを低減できる画像形成装置を提供することに利用できる。
【図面の簡単な説明】
【００７１】
【図１】本発明に係る画像装置例の正面図である。
【図２】図１の画像形成装置の制御回路の概略を示すブロック図である。
【図３】図２の制御回路中のキャンセル信号生成部の構成を示す図である。
【図４】キャンセル信号送信部の例を示す図である。
【図５】図５（Ａ）はＬＳＩ電源部の電源ノイズの例を示す図であり、図５（Ｂ）は該電源ノイズを打ち消すキャンセル信号の例を示す図である。
【図６】制御部のキャンセル信号生成指示動作の１例を示すフローチャートである。
【図７】制御部のキャンセル信号生成指示動作の他の例を示すフローチャートである。
【図８】制御部のキャンセル信号生成指示動作のさらに他の例を示すフローチャートである。
【図９】制御部のキャンセル信号生成指示動作のさらに他の例を示すフローチャートである。
【図１０】制御部のキャンセル信号生成指示動作のさらに他の例を示すフローチャートである。
【図１１】制御部のキャンセル信号生成指示動作のさらに他の例を示すフローチャートである。
【符号の説明】
【００７２】
Ａ  画像形成装置
Ｓ  画像読取装置
ｇ１、ｇ２  ガラス板
Ｃ１〜Ｃ４  記録媒体収容カセット
ＣＳ  カセットのある部分
ＡＤＦ  原稿自動搬送装置
ａ１  原稿載置トレイ
ａ２  原稿排出トレイ
ＰＡ  操作パネル
Ｋｅ  キー群
ｋ１  微調整モード指示キー
Ｂ  画像形成部
Ｙ  イエロー画像形成ユニット
Ｍ  マゼンタ画像形成ユニット
Ｃ  シアン画像形成ユニット
Ｋ  ブラック画像形成ユニット
ｂ  中間転写ベルト
Ｆ  定着装置
ｆ１  定着ローラ
ｆ２  加圧ローラ
Ｒ  排出ローラ
Ｔ  排出トレイ
Ｐ  記録媒体
１１、１２、１３・・・        ＬＳＩ電源部
２（２１、２２、２３・・・）  キャンセル信号生成部
２０    キャンセル信号発生部
２０１  振幅調整回路
２０２  位相調整回路
２０３  周波数調整回路
３      制御部
３１    ＣＰＵ
３２    メモリ部
Ｎ      電源ノイズ測定器
ＴＳ    温度検出器
【図１】
2008261976.tif 000003
【図２】
2008261976.tif 000004
【図３】
2008261976.tif 000005
【図４】
2008261976.tif 000006
【図５】
2008261976.tif 000007
【図６】
2008261976.tif 000008
【図７】
2008261976.tif 000009
【図８】
2008261976.tif 000010
【図９】
2008261976.tif 000011
【図１０】
2008261976.tif 000012
【図１１】
2008261976.tif 000013